(57)【要約】【課題】押し蓋の上面を術者の親指の動きに合せた傾斜面とし、チャック挿脱時に押し蓋にかける押下力を効果的にかけられるようにして操作性をよくした。【解決手段】上部に押し蓋１５を有し、該押し蓋１５を押下することによりチャック筒３０を開いて切削具５０の挿脱を可能とし、押し蓋１５を押下する力を解除することにより挿入した切削具５０をチャックする。押し蓋１５の表面１５ａは手前側（図の右側）から後方側（左側）に向って上昇する傾斜面に形成されている。【選択図】図１
2008043655.tif 000002
【特許請求の範囲】
【請求項１】
上部に押し蓋を有し、該押し蓋を押下することによりチャックを開いて切削具の挿脱を可能とし、前記押し蓋を押下する力を解除することにより挿入した切削具をチャック可能とした歯科用ハンドピースのチャック機構において、前記押し蓋は手前側から後方側に向って上昇する傾斜面に形成されていることを特徴とする歯科用ハンドピースのチャック機構。
【請求項２】
前記押し蓋は、常時は、バネ部材によって上方に向って付勢されており、かつ、切削具の挿脱軸方向に移動可能であることを特徴とする請求項１に記載の歯科用ハンドピースのチャック機構。
【発明の詳細な説明】
【技術分野】
【０００１】
本発明は、歯科用ハンドピース、例えば、マイクロエンジン，エアータービン等のチャック機構に関するものであって、特に、チャックを開閉するための押し蓋の上面を傾斜面にし、該押し蓋を押下する時の術者の親指の動きを自然なものとし、押し蓋に効果的に押下力を加えることができるようにしてチャックに切削具（バー）を挿脱する時の操作性を改善したものである。
【背景技術】
【０００２】
図４は、本発明が適用される歯科用ハンドピースの一例としてのエアータービンハンドピースの例（特許文献１参照）を示す要部断面図で、図中、１０はヘッドケース、２０は回転筒で、この回転筒２０には軸受２１，２２のインナーレース及びタービン羽根２３が一体的に取り付けられ、該軸受２１，２２のアウターレースがそれぞれＯリング１１，１２によってヘッドケース１０に固定されており、これによって、インナーレースと一体の回転筒２０及びタービン羽根２３がヘッドケース１０内に回転可能に支持されている。なお、マイクロエンジンの場合は、周知のように、回転筒２０に取り付けられた歯車をモータによって回転される回転軸に取り付けられた歯車によって回転する。
【０００３】
チャック筒３０は、下端部が前記回転筒２０内に固定され、上端部は、軸方向の割り溝（スリット）３１によって２分され、径方向に押し開くことができるようになっている。そのため、前記回転筒２０の内径は、該スリット３１の長さに相当する部分Ｒが大径に形成されている。チャック押し部材４０は、下端部側において、外径が先端部に向って徐々に小さくなる傾斜面Ｓを有し、その先端部は、チャック筒３０内にわずかに入っている。
【０００４】
従って、押し蓋１３をバネ１４の弾力に抗して押してチャック押し部材４０を押し下げると、該チャック押し部材４０の傾斜面Ｓによってチャック筒３０が押し開かれるので、その状態で、該チャック筒３０内に切削具（バー）５０を挿入し、挿入した切削具の先端でチャック押し部材４０を上方に押し戻すとチャック筒３０が元の状態に戻ろうとし、その力で挿入された切削具５０を把持する。
【０００５】
なお、チャック筒３０のチャッキング部（割り溝のある部）の内壁には、周方向に、例えば、４分割された数ミリ幅の凸起部を有し、該凸起部にてバーを把持するが、この凸起部とバーとの小さい接触面積のため、回転中のバーに負荷がかかるとこじれが生じ、把持力が上がり、バーが抜け出るのを防ぐことができる。なお、図４に示した例は、単に従来技術の一例を示したものであり、本発明は、図４に示した例に限定されるものではなく、例えば、特許文献１の図５に示した従来技術等にも適用可能である。
【特許文献１】特開２００３−１１６８７９号公報
【発明の開示】
【発明が解決しようとする課題】
【０００６】
上述のごとき、従来の歯科用ハンドピースにおいては、切削具（バー）５０をチャック筒３０に挿脱するために、ハンドピースのグリップ部を握った状態で、押し蓋１３を親指にて押下するが、その際、親指の運動が親指の付け根を支点とする回動運動であるのに対して、押し蓋１３の上面が平面（水平面）であるため、押し蓋１３の上面（水平）と親指（傾斜）の接触部面の整合性が悪く、親指の力を十分に押し蓋１３に作用させることができず、操作性が必ずしも良いものではなかった。
【０００７】
本発明は、上述のごとき従来技術における不具合を解消するためになされたもので、特に、押し蓋の上面を術者の親指の動きに合せた傾斜面とし、好ましくは、２〜８°位の傾斜面としてチャック挿脱時の押し蓋の押下を効果的に行うことができるようにして操作性をよりよくすることを目的としてなされたものである。
【課題を解決するための手段】
【０００８】
請求項１の発明は、上部に押し蓋を有し、該押し蓋を押下することによりチャックを開いて切削具の挿脱を可能とし、前記押し蓋を押下する力を解除することにより挿入した切削具をチャック可能とした歯科用ハンドピースのチャック機構において、前記押し蓋は手前側から後方側に向って上昇する傾斜面に形成されていることを特徴としたものである。
【０００９】
請求項２の発明は、請求項１の発明において、前記押し蓋は、常時は、バネ部材によって上方に向って付勢されており、かつ、切削具の挿脱軸方向に移動可能であることを特徴としたものである。
【発明の効果】
【００１０】
押し蓋を押下することによりチャックを開いて切削具の挿脱を可能とした歯科用ハンドピースにおいて、前記押し蓋の上表面を手前側から後方側に向って上昇する傾斜面に形成したので、該押し蓋に、術者の親指の力をかけやすく、歯科用ハンドピースに切削具を挿脱する際の作業がしやすくなった。
【発明を実施するための最良の形態】
【００１１】
図１は、本発明による歯科用ハンドピースにおけるチャック機構の一実施例を説明するための要部構成図で、図中、図４に示した従来技術を同様の作用とする部分には、図４の場合と同一の参照番号が付してある。而して、本発明は、図４に示した押し蓋１３に代って、図１に１５にて示すように、上面が傾斜（例えば、２°〜８°位）した押し蓋を用いたものである。この押し蓋１５は、術者がハンドピースのグリップ部（図示せず、図１において右側）を握った状態で、親指にて押下し、図４に示した従来技術で説明したように、チャック筒を開いて、切削具を挿脱可能とするものであるが、本発明においては、図１に示すように、この押し蓋１５の上面１５ａが傾斜し、手前側（グリップ側）が低く後部側が高く形成されているので、該押し蓋１５の上面１５ａを、グリップ部を握った状態で親指で押下する時、親指をグリップ部の軸線と平行な線まで回動することなく押下することができ、該押し蓋１５を効果的に押下することができ、操作性がよい。
【００１２】
図２，図３はそれぞれ、押し蓋１５の変形例を示した図で、図２は、押し蓋の上表面１５ａを傾斜面とし、バネ１４を受ける下表面を平行（水平）面とし、バネ１４の力が押し蓋１５の下表面１５ｂに対して均等にかかるようにしたものであり、図３に示した例は、押し蓋１５を上蓋１５1と下蓋１５2で構成し、上蓋１５1の表面１５ａを傾斜面とし、下蓋１５2の下表面１５ｂを平行（水平）面としたものであり、その動作、作用効果は、図１に示した押し蓋と同様である。
【図面の簡単な説明】
【００１３】
【図１】本発明が適用された歯科用ハンドピースにおけるチャック機構の一実施例を説明するための要部構成図である。
【図２】本発明が適用された歯科用ハンドピースにおけるチャック機構の他の実施例を説明するための要部構成図である。
【図３】本発明が適用された歯科用ハンドピースにおけるチャック機構の更に他の実施例を説明するための要部構成図である。
【図４】本発明が適用された歯科用ハンドピースの一例としてのエアータービンハンドピースの例を示す要部断面図である。
【符号の説明】
【００１４】
１０…ヘッドケース、１１，１２…Ｏリング、１３…押し蓋、１４…バネ、１５…押し蓋、２０…回転筒、２１，２２…軸受、２３…タービン羽根、３０…チャック筒、３１…スリット、４０…チャック押し部材、５０…バー。
【図１】
2008043655.tif 000003
【図２】
2008043655.tif 000004
【図３】
2008043655.tif 000005
【図４】
2008043655.tif 000006